(57)【要約】【課題】背板が起き上がった状態においても被施術者の姿勢を安定させることができる検診台を提供する。【解決手段】検診台は、前方側が背板支持部材２６に連結されると共に、下方側が座板支持部材２１に連結された基支持部材３２と、座板を背板に連動させることで、第二状態において、座板における背板側を背面側に傾斜させる連動リンク５０と、第一状態および第二状態への変形の過程において背板を背板支持部材２６に沿ってスライドさせるスライド機構６０とが備えられている。【選択図】図７
2018042807.tif 000002
【特許請求の範囲】
【請求項１】
座板を支持した座板支持部材と背板を支持した背板支持部材とが備えられ、前記背板が倒れた第一状態と、前記背板が起きた第二状態とに変形する検診台において、
一方側が前記背板支持部材に連結されると共に、他方側が前記座板支持部材に連結された基支持部材と、
前記座板を前記背板に連動させることで、第二状態において、前記座板における前記背板側を背面側に傾斜させる連動リンクと、が備えられた、
ことを特徴とする検診台。
【請求項２】
前記連動リンクが、前記座板支持部材と前記背板支持部材との間に渡って配置された第一リンクと、前記基支持部材に備えられた第二リンクとから構成され、
前記第一リンクは、一方側が前記背板支持部材に連結されると共に、他方側が前記第二リンクに連結され、
前記第二リンクは、前記基支持部材に連結されると共に、この基支持部材との連結部に対する前記第一リンクとの連結部と反対側が、前記座板支持部材に連結された、
ことを特徴とする請求項１に記載された検診台。
【請求項３】
前記第二リンクと前記座板支持部材との連結部に、ローラー部が備えられ、
前記座板支持部材に、前記ローラー部に押される押圧部が備えられた、
ことを特徴とする請求項２に記載された検診台。
【請求項４】
第一状態および第二状態への変化の過程において前記背板を前記背板支持部材に沿ってスライドさせるスライド機構が備えられた、
ことを特徴とする請求項１から請求項３のいずれか１項に記載された検診台。
【請求項５】
第一状態または第二状態に変形させる変形操作部が、前記背板支持部材に備えられた、
ことを特徴とする請求項１から請求項４のいずれか１項に記載された検診台。
【請求項６】
前記基支持部材と前記背板支持部材とにシリンダが連結された、
ことを特徴とする請求項１から請求項５のいずれか１項に記載された検診台。
【請求項７】
場所を移動させるための移動操作部が前記変形操作部に備えられた、
ことを特徴とする請求項５に記載された検診台。
【請求項８】
前記座板と前記背板とが単一のシートで覆われた、
ことを特徴とする請求項１から請求項７のいずれか１項に記載された検診台。
【発明の詳細な説明】
【技術分野】
【０００１】
本発明は、例えば、医療施設などで用いられる検診台に関するものである。
【背景技術】
【０００２】
従来、医療施設などにおいて施術が行われる際に被施術者が横たわるベッドは、横たわった被施術者の上半身を支持する背板と、臀部や腰を支持する座板とが備えられ、背板が座板に対して起き上がることで、被施術者の上半身を起こして自動的に姿勢を変えることができる。このようなベッドとして、下記特許文献１に記載されたリクライニングベッドがある。
【０００３】
例えば、内視鏡検査においては、検査時に施された麻酔によるセデーション状態が検査後も続くため、回復するまで被施術者はベッドで寝かされる。このような場合において、施術者が被施術者の容態を観察する際、被施術者の上半身を起こすために、リクライニングベッドの背板が起き上がる。
【先行技術文献】
【特許文献】
【０００４】
【特許文献１】特開２０１３−５９４９７号公報
【発明の概要】
【発明が解決しようとする課題】
【０００５】
しかし、セデーション状態の被施術者は自身の姿勢を安定させることが困難であるため、背板が起き上がる際、被施術者がベッドから落下することが考えられる。
【０００６】
本発明は、上記の実情に鑑みて提案されたものである。すなわち、背板が起き上がった状態においても被施術者の姿勢を安定させることができる検診台の提供を目的とする。
【課題を解決するための手段】
【０００７】
上記目的を達成するために、本発明に係る検診台は、座板を支持した座板支持部材と背板を支持した背板支持部材とが備えられ、前記背板が倒れた第一状態と、前記背板が起きた第二状態とに変形する検診台において、一方側が前記背板支持部材に連結されると共に、他方側が前記座板支持部材に連結された基支持部材と、前記座板を前記背板に連動させることで、第二状態において、前記座板における前記背板側を背面側に傾斜させる連動リンクと、が備えられた、ことを特徴とする。
【０００８】
本発明に係る検診台は、前記連動リンクが、前記座板支持部材と前記背板支持部材との間に渡って配置された第一リンクと、前記基支持部材に備えられた第二リンクとから構成され、前記第一リンクは、一方側が前記背板支持部材に連結されると共に、他方側が前記第二リンクに連結され、前記第二リンクは、前記基支持部材に連結されると共に、この基支持部材との連結部に対する前記第一リンクとの連結部と反対側が、前記座板支持部材に連結された、ことを特徴とする。
【０００９】
本発明に係る検診台は、前記第二リンクと前記座板支持部材との連結部に、ローラー部が備えられ、前記座板支持部材に、前記ローラー部に押される押圧部が備えられた、ことを特徴とする。
【００１０】
本発明に係る検診台は、第一状態および第二状態への変化の過程において前記背板を前記背板支持部材に沿ってスライドさせるスライド機構が備えられた、ことを特徴とする。
【００１１】
本発明に係る検診台は、第一状態または第二状態に変形させる変形操作部が、前記背板支持部材に備えられた、ことを特徴とする。
【００１２】
本発明に係る検診台は、前記基支持部材と前記背板支持部材とにシリンダが連結された、ことを特徴とする。
【００１３】
本発明に係る検診台は、場所を移動させるための移動操作部が前記変形操作部に備えられた、ことを特徴とする。
【００１４】
本発明に係る検診台は、前記座板と前記背板とが単一のシートで覆われた、ことを特徴とする。
【発明の効果】
【００１５】
本発明に係る検診台は上記した構成である。すなわち、第一状態から第二状態に変形する際、背板が起き上がると同時に、座板における背板側が下降することで座板が傾斜する。このことにより、被施術者は、横たわった状態から、上半身を起こし、下腿を水平にしたまま腰が下がって膝が曲がった姿勢となる。この姿勢と第一状態の姿勢とを比較すると、第一状態において被施術者が横たわった姿勢では、頭部から足までが真っすぐに伸びているため、頭部から足までを一つの軸として、被施術者が検診台の側方に向けて転がりやすくなる。また、足側へ身体全体がずれるおそれがある。しかし、第二状態では、上半身が起こされ、膝が曲げられていることから、上半身、大腿および下腿のそれぞれの軸が異なっているため、検診台の側方に向けて転がり難い。また、足側へ身体全体がずれ難い。したがって、背板が起き上がった状態においても被施術者の姿勢を安定させることができる。
【００１６】
本発明に係る検診台は、連動リンクが、座板支持部材と背板支持部材との間に渡って配置された第一リンクと、基支持部材に備えられた第二リンクとから構成され、第一リンクは、一方側が背板支持部材に連結されると共に、他方側が第二リンクに連結され、第二リンクは、基支持部材に連結されると共に、この基支持部材との連結部に対する第一リンクとの連結部と反対側が、座板支持部材に連結されている。この構成により、第一状態から第二状態に変形する際、背板支持部材が起き上がると同時に、背板支持部材に連動して第一リンクが押され、この第一リンクに第二リンクが押されることで、この第二リンクが第一リンクに連動する。第二リンクに連動して座板支持部材における背板側が下降して座板支持部材が背面側に傾斜し、検診台が第二状態に変形する。第二状態では、被施術者の身体が第二状態に合わせて折れ曲がることで、被施術者の身体に複数の軸が形成されるため、背板が起き上がった状態においても被施術者の姿勢を安定させることができる。
【００１７】
本発明に係る検診台は、第二リンクと座板支持部材との連結部に、ローラー部が備えられ、座板支持部材に、ローラー部に押される押圧部が備えられている。すなわち、第二リンクに連動してローラー部が変位し、このローラー部の軌道に沿って押圧部が変位し、座板支持部材における背板側が下降して座板支持部材が背面側に傾斜し、検診台が第二状態に変形する。第二状態では、被施術者の身体に複数の軸が形成されるため、背板が起き上がった状態においても被施術者の姿勢を安定させることができる。
【００１８】
本発明に係る検診台は、第一状態および第二状態への変化の過程において背板を背板支持部材に沿ってスライドさせるスライド機構が備えられている。すなわち、背板支持部材が起き上がる際、背板の一方側端と座板の他方側端とが突き合わせられて応力が生じるところ、スライド機構が介在されることにより、応力によって背板が背板支持部材に対してスライドする。したがって、過剰な応力が作用することによる座板および背板の屈折や劣化を抑止することができる。
【００１９】
本発明に係る検診台は、第一状態または第二状態に変形させる変形操作部が、背板支持部材に備えられている。したがって、検診台を容易に第一状態または第二状態に変形させることができる。
【００２０】
本発明に係る検診台は、基支持部材と背板支持部材とにシリンダが連結されている。したがって、背板支持部材を容易に起き上げることができる。
【００２１】
本発明に係る検診台は、場所を移動させるための移動操作部が変形操作部に備えられている。すなわち、検診台の移動と変形とを同じ箇所で操作することができ、操作が簡便である。
【００２２】
本発明に係る検診台は、座板と背板とが単一のシートで覆われている。すなわち、座板と背板とが外観上において一体となり、座板と背板との境界が外観上に現れず、意匠性に優れている。
【図面の簡単な説明】
【００２３】
【図１】本発明の第一実施形態に係る検診台の第一状態において、平面側から視した外観が示された外観斜視図である。
【図２】本発明の第一実施形態に係る検診台の第一状態において、背面側から視した外観が示された外観斜視図である。
【図３】本発明の第一実施形態に係る検診台の第一状態の外観が示され、（ａ）が側面側から視した側面図、（ｂ）が一方側から視した前面図、（ｃ）が背面側から視した背面図である。
【図４】本発明の第一実施形態に係る検診台の第二状態において、平面側から視した外観が示された外観斜視図である。
【図５】本発明の第一実施形態に係る検診台の第二状態において、背面側から視した外観が示された外観斜視図である。
【図６】本発明の第一実施形態に係る検診台の第二状態の外観が示され、（ａ）が側面側から視した側面図、（ｂ）が一方側から視した前面図、（ｃ）が背面側から視した背面図である。
【図７】本発明の第一実施形態に係る検診台の第一状態において、平面側から視した内部構造が示された内部斜視図である。
【図８】本発明の第一実施形態に係る検診台の第一状態において、内部構造の要部が拡大して示された要部拡大斜視図である。
【図９】本発明の第一実施形態に係る検診台の第二状態において、平面側から視した内部構造が示された内部斜視図である。
【図１０】本発明の第一実施形態に係る検診台の第二状態において、内部構造の要部が拡大して示された要部拡大斜視図である。
【図１１】本発明の第一実施形態に係る検診台の第一状態において、背面側から視した内部構造が示された内部斜視図である。
【図１２】本発明の第一実施形態に係る検診台の第二状態において、背面側から視した内部構造が示された内部斜視図である。
【図１３】本発明の第一実施形態に係る検診台の第一状態において、平面側から視した内部構造が示された内部平面図である。
【図１４】本発明の第一実施形態に係る検診台の第一状態において、側面側から視した内部構造が示された内部側面図および内部側面拡大図である。
【図１５】本発明の第一実施形態に係る検診台の第一状態において、内部構造が示された側面Ａ−Ａ断面図および内部側面断面拡大図である。
【図１６】本発明の第一実施形態に係る検診台の第一状態において、内部構造が示された側面Ｂ−Ｂ断面図および内部側面断面拡大図である。
【図１７】本発明の第一実施形態に係る検診台の第一状態において、内部構造が示された側面Ｃ−Ｃ断面図および内部側面断面拡大図である。
【図１８】本発明の第一実施形態に係る検診台の第二状態において、平面側から視した内部構造が示された内部平面図である。
【図１９】本発明の第一実施形態に係る検診台の第二状態において、側面側から視した内部構造が示された内部側面図および内部側面断面拡大図である。
【図２０】本発明の第一実施形態に係る検診台の第二状態において、内部構造が示された側面Ａ−Ａ断面図および内部側面断面拡大図である。
【図２１】本発明の第一実施形態に係る検診台の第二状態において、内部構造が示された側面Ｂ−Ｂ断面図および内部側面断面拡大図である。
【図２２】本発明の第一実施形態に係る検診台の第二状態において、内部構造が示された側面Ｃ−Ｃ断面図および内部側面断面拡大図である。
【図２３】本発明の第二実施形態に係る検診台の第一状態の内部構造が示され、（ａ）が側面側から視した側面図、（ｂ）が一方側から視した前面図、（ｃ）が背面側から視した背面図である。
【図２４】本発明の第二実施形態に係る検診台の第二状態の内部構造が示され、（ａ）が側面側から視した側面図、（ｂ）が一方側から視した前面図、（ｃ）が背面側から視した背面図である。
【図２５】本発明の第二実施形態に係る検診台の第一状態において、平面側から視した内部構造が示された内部斜視図である。
【図２６】本発明の第二実施形態に係る検診台の第二状態において、平面側から視した内部構造が示された内部斜視図である。
【図２７】本発明の第二実施形態に係る検診台の第一状態において、平面側から視した内部構造が示された内部平面図である。
【図２８】本発明の第二実施形態に係る検診台の第一状態において、内部構造が示された側面Ａ−Ａ断面図および内部側面断面拡大図である。
【図２９】本発明の第二実施形態に係る検診台の第一状態において、内部構造が示された側面Ｂ−Ｂ断面図および内部側面断面拡大図である。
【図３０】本発明の第二実施形態に係る検診台の第一状態において、内部構造が示された側面Ｃ−Ｃ断面図および内部側面断面拡大図である。
【図３１】本発明の第二実施形態に係る検診台の第二状態において、平面側から視した内部構造が示された内部平面図である。
【図３２】本発明の第二実施形態に係る検診台の第二状態において、内部構造が示された側面Ａ−Ａ断面図および内部側面断面拡大図である。
【図３３】本発明の第二実施形態に係る検診台の第二状態において、内部構造が示された側面Ｂ−Ｂ断面図および内部側面断面拡大図である。
【図３４】本発明の第二実施形態に係る検診台の第二状態において、内部構造が示された側面Ｃ−Ｃ断面図および内部側面断面拡大図である。
【発明を実施するための形態】
【００２４】
以下に、本発明の第一実施形態に係る検診台を図面に基づいて説明する。図１、図２および図３は、第一実施形態に係る検診台１の第一状態における外観が示されている。図４、図５および図６は、検診台１の第二状態における外観が示されている。なお、以下の説明では、図１において、検診台１において被施術者（図示省略）が支持される側を平面とし、その裏側において床（図示省略）と対面する側を背面とし、床に対して鉛直方向を上方および下方とし、検診台１の長手方向における一方側であって被施術者の頭部が支持される方を前方とし、その反対側の他方側であって被施術者の脚が支持される方を後方とし、側方を左方および右方とする。
【００２５】
図１から図３に示されているとおり、検診台１は、被施術者が横たわった姿勢で載せられるベッドのような第一状態と、図４から図６に示されているとおり、被施術者が座ったような姿勢で載せられる椅子のような第二状態とに変形する。具体的には、図１から図６に示されているとおり、検診台１は、被施術者が載せられる載置部１０と、この載置部１０の背面側に備えられて載置部１０を変形させる基台部２０と、この基台部２０の背面側に備えられて基台部２０を支持する台車部３とから構成されている。
【００２６】
台車部３は、台車フレーム４の四隅にキャスター５が取り付けられ、このキャスター５を介して床上を自在に移動する。台車フレーム４は、キャスター５を停止させるストッパー（図示省略）と、このストッパーを稼働させるフットペダル６が適宜備えられている。また、台車部３は、台車フレーム４の上に昇降部７が取り付けられ、この昇降部７を介して、載置部１０の床からの高さが自在に変形する。
【００２７】
載置部１０は、被施術者の上半身が支持される背板１１と、この背板１１の後方に配置されて腰部および臀部から大腿が支持される座板１２と、この座板１２の後方に配置されて下腿が支持される脚板１３とから構成されている。各板１１，１２，１３は弾力性のあるクッション素材などから構成され、それぞれが独立しているが、レザー素材などの単一のシート１４で覆われたことで載置部１０が一体として構成され、各状態に応じて一体として変形する。また、載置部１０は、左右両側に複数の胴受部材１５が配置されている。胴受部材１５は、基台部２０に取り付けられ、着脱自在である。なお、胴受部材１５の数は任意である。
【００２８】
ここで、基台部２０を図面に基づいて詳説する。図７から図１０は、検診台１において、載置部１０および台車部３が省略され、基台部２０のみが示されている。図７は検診台１の第一状態が示され、図８は第一状態における基台部２０の一部が拡大されて示されている。図９は検診台１の第二状態が示され、図８は第二状態における基台部２０の一部が拡大されて示されている。
【００２９】
図７から図１０に示されているとおり、基台部２０は金属製の板状またはパイプ状の部材が組み合わさって構成されている。具体的には、座板１２を支持する座板支持部材２１と、背板１１を支持する背板支持部材２６と、前方側が背板支持部材２６に連結されると共に、後方側が座板支持部材２１に連結された基支持部材３２と、座板支持部材２１（座板１２）を背板支持部材２６（背板１１）に連動させる連動リンク５０と、第一状態および第二状態への変形の過程において背板１１を背板支持部材２６に沿ってスライドさせるスライド機構６０とから基台部２０が構成されている。基支持部材３２は、脚板１３を支持する脚板支持部３６が後方側に連接されている。
【００３０】
図７および図８に示されているとおり、第一状態では、各支持部材２６，２１，３６がほぼ水平に配置されている。すなわち、第一状態では、背板支持部材２６（背板１１）が倒れた状態であり、かつ、脚板支持部３６（脚板１３）に対して、座板支持部材２１（座板１２）における前方側である背板１１側が起きた状態であることにより、背板支持部材２６（背板１１）、座板支持部材２１（座板１２）および脚板支持部３６（脚板１３）が同一平面上に揃えられている。一方、図９および図１０に示されているとおり、第二状態では、背板支持部材２６（背板１１）が起きた状態であり、かつ、脚板支持部３６（脚板１３）に対して、座板支持部材２１（座板１２）の背板１１側が背面側に傾斜した状態であることにより、背板支持部材２６（背板１１）が起き上がると共に座板支持部材２１（座板１２）が下方に沈んでいる。
【００３１】
図７から図１０に示されているとおり、基支持部材３２は、座板支持部材２１の下方において屈曲した第一基フレーム３３と第二基フレーム３７とが上下に並列すると共に左右一対で構成されたものであり、左右の第一基フレーム３３同士が、互いに複数の第一基連結部材３４ａ，ｂで連結され、左右の第二基フレーム３７同士が、互いに第二基連結部材３８で連結されている。第一基フレーム３３は、前方側がＶ字状に屈曲して屈曲部３５が形成され、この屈曲部３５の後方端に直線状の脚板支持部３６が連接されている。屈曲部３５は、前方端が、背板支持部材２６の後方側に取り付けられた連結片４２を介して連結され、後方側が連動リンク５０と連結されている。連結片４２は、背板支持部材２６の後方端よりも僅かに前方側に取り付けられている（図１０（ｂ）参照）。第二基フレーム３７は、第一基フレーム３３の屈曲部３５に沿ってＶ字状に屈曲し、前方側同士を連結する第二基連結部材３８に、駆動部としてのシリンダ３９が連結されている。第二基フレーム３７は、後方端が、第一基フレーム３３における屈曲部３５と脚板支持部３６との連接部分に連結されている。
【００３２】
背板支持部材２６は、直線状の背板フレーム２７が左右一対で構成されたものであり、各背板フレーム２７同士が互いに複数の背板連結部材２８ａ，ｂで連結されている。背板支持部材２６のほぼ中央近傍の背板連結部材２８ａは、シリンダ３９が連結されている。各背板フレーム２７は、左右側方に一対の胴受支持部材２と一対のハンドル支持部材２９とがそれぞれ取り付けられている。胴受支持部材２は、背板支持部材２６において後方寄りに配置されて胴受部材１５が取り付けられ（図１参照）、一方、ハンドル支持部材２９は、背板支持部材２６において前方寄りに配置され、検診台１の場所を移動させる際に把持される移動操作部としての移動ハンドル３０が、左右のハンドル支持部材２９に渡って取り付けられている。また、移動ハンドル３０と同じ位置に、検診台１を第一状態または第二状態に変形させる変形操作部としての変形ハンドル３１が備えられている。なお、変形ハンドル３１は、ハンドル支持部材２９または各背板フレーム２７の前方端において、移動ハンドル３０と異なる位置に備えられていてもよい。
【００３３】
変形ハンドル３１は、ワイヤー（図示省略）を介してシリンダ３９と接続され、変形ハンドル３１が操作されてワイヤーが引っ張られることでシリンダ３９が稼働する。シリンダ３９は、シリンダ本体４０が第二基フレーム３７の第二基連結部材３８のほぼ中央に連結され、ピストン４１が背板支持部材２６の背板連結部材２８ａのほぼ中央に連結されている。なお、シリンダ３９は、例えば、油圧式、空圧式などである。
【００３４】
座板支持部材２１は、座板フレーム２２が左右一対で構成されたものであり、各座板フレーム２２同士が互いに座板連結部材２３で連結されている。座板フレーム２２は、後方端が基支持部材３２の第一基フレーム３３と連結されている。また、座板フレーム２２は、後方側が連動リンク５０と連結されている。座板フレーム２２は、左右側方に一対の胴受支持部材２が取り付けられている。胴受支持部材２は、座板支持部材２１において後方寄りに配置されて胴受部材１５が取り付けられる（図２参照）。
【００３５】
次に、連動リンク５０およびスライド機構６０を図面に基づいて説明する。図１１および図１２は、検診台１において、載置部１０、台車部３、および基台部２０の基支持部材３２が省略され、座板支持部材２１と背板支持部２６とに連結された連動リンク５０、および背板支持部２６の背面側に備えられたスライド機構６０が示されている。ここで、図１１は検診台１の第一状態であり、図１２は検診台１の第二状態である。
【００３６】
図１１および図１２に示されているとおり、連動リンク５０は、座板支持部材２１と背板支持部材２６との間に渡って配置された左右一対の第一リンク５１と、基支持部材３２に備えられた左右一対の第二リンク５２とから構成されている。第一リンク５１は、座板支持部材２１と背板支持部材２６との間においてＶ字状に屈曲し、前方端が背板支持部材２６の後方端と連結されると共に、後方端が第二リンク５２と連結されている。第二リンク５２は、第一リンク側片５４と座板側片５５とが鋭角をなして中央部５３で連結されてＶ字状に形成されている。中央部５３は、後方に向けられ、基支持部材３２における第一フレーム３３の屈曲部３５と連結される。第一リンク片５４は、中央部５３から突出して第一リンク５１の後方端と連結されている。座板側片５５は、中央部５３に対する第一リンク側片５４と反対側において座板支持部材２１に連結されている。座板側片５５はローラー部が取り付けられている。詳説すれば、ローラー部は、棒状の第一ローラー部５６と、車輪状の第二ローラー部５７とから構成され、左右の座板側片５５同士が第一ローラー部５６によって連結されると共に、この第一ローラー部５６を介して各座板側片５５の外側にそれぞれ第二ローラー部５７が連結されている。各ローラー部５６，５７は、座板支持部材２１に形成された押圧部と連結されている。
【００３７】
押圧部は、座板支持部材２１の後方側における胴受支持部材２の近傍に取り付けられている。押圧部は、上昇用押圧板２４と下降用押圧板２５とから構成されている。上昇用押圧板２４は、左右一対で構成されたものであり、各座板フレーム２２同士の内側において、座板１２に対して座板１２の背面に沿って平行に配置される。下降用押圧板２５は、各上昇用押圧板２４の間において、上昇用押圧板２４の下方に間を空けて座板１２の背面と平行に対面して配置される。
【００３８】
第二ローラー部５７は、上昇側押圧板２４の背面側に配置され、第一ローラー部５６は、下降側押圧板２５の平面側において上昇側押圧板２４との間に配置されている。
【００３９】
図１１および図１２に示されているとおり、スライド機構６０は、レール部６１とガイド部６２とから構成されている。レール部６１は、各背板フレーム２７の前方側におけるハンドル支持部材２９の近傍、および、後方側における胴受支持部材２の近傍にそれぞれ形成されている。このレール部６１は、ガイド部６２が取り付けられ、ガイド部６２がレール部６１に対してスライドする。ガイド部６２は、背板１１の背面に固定される。すなわち、背板１１はガイド部６２を介して背板支持部材２６に取り付けられ、直接背板支持部材２６に取り付けられていない。そのため、ガイド部６２がレール部６１に沿ってスライドすることで、ガイド部６２が固定された背板１１が背板支持部材２６に沿ってスライドする。
【００４０】
以上のとおり、検診台１が構成されている。次に、検診台１が第一状態から第二状態に変形する過程における各支持部の動きを図面に基づいて説明する。図１３から図１７は、検診台１の第一状態において、載置部１０が省略された平面、側面および側面断面が示され、図１８から図２２は、検診台１の第二状態において、載置部１０が省略された平面、側面および側面断面が示されている。
【００４１】
図１３から図１７に示されているとおり、第一状態では、背板支持部材２６（背板１１）、座板支持部材２１（座板１２）および脚板支持部３６（脚板１３）が同一平面上に揃えられている。連動リンク５０の第一リンク５１は、第二状態と比較した相対的な位置が第二状態よりも上方側である。連動リンク５０の第二リンク５２は、第一リンク側片５４が中央部５３よりも前方に配置され、座板側片５５の第一ローラー部５６が上昇用押圧板２４において後方側に配置されると共に、座板側片５５の第二ローラー部５７が下降用押圧板２５において後方側に配置されている。スライド機構６０は、レール部６１においてガイド部６２が後方側に配置されている。シリンダ３９は収縮している。
【００４２】
この第一状態において、変形ハンドル３１が操作されると、検診台１は第二状態に変形する。詳説すれば、変形ハンドル３１が操作されると、背板支持部材２６が基支持部材３２に対して起き上がると共にシリンダ３９が伸長する。同時に、連動リンク５０が作動し、第一リンク５１は、第一状態よりも下方かつ後方側に変位することで第二リンク５２が回転する。すなわち、第二リンク５２は、第一リンク側片５４が第一リンク５１によって下方かつ後方に移動させられることで、中央部５３を軸として回転し（図１３から図１７において右回りに回転し）、座板側片５５が前方に移動させられる。このことによって、第一ローラー部５６が、前方、かつ、下方に移動するとことにより、この第一ローラー部５６によって下降用押圧板２５が、第一ローラー部５６の軌道に沿って下方に押されて座板支持部材２１の背板１１側が基支持部材３２に対して背面側に傾斜する。すなわち、座板支持部材２１と共に座板１２が沈み込む。
【００４３】
ここで、座板１２は、単一のシート１４で背板１１と共に覆われているため、座板１２が沈み込むことによって、シート１４を介して背板１１が連動する。すなわち、座板１２が沈み込む方向にシート１４が引っ張られることにより、座板１２が沈み込む方向に背板１１が引っ張られて沈み込む。ここで、背板１１は、スライド機構６０によって、背板支持部材２６に対して変位することから、背板支持部材２６を基準とすれば、背板１１は背板支持部材２６に対して相対的に上方にスライドする。すなわち、レール部６１においてガイド部６２が前方側に配置される。
【００４４】
このようにして第二状態に変形した検診台１は、図１８から図２２に示されているとおり、背板支持部材２６（背板１１）が起き上がると共に座板支持部材２１（座板１２）が下方に沈んでいる。
【００４５】
検診台１が第二状態から第一状態に変形する場合、上記と逆に作動する。すなわち、第二状態において変形ハンドル３１が操作されると、背板支持部材２６が基支持部材３２に対して倒れると共にシリンダ３９が収縮する。同時に、連動リンク５０が作動し、第一リンク５１は、第二状態よりも上方側に変位することで第二リンク５２が回転する。すなわち、第二リンク５２は、第一リンク側片５４が第一リンクに５１よって上方に移動させられることで、中央部５３を軸として回転し（図１８から図２２において左回りに回転し）、座板側片５５が後方に移動させられる。このことによって、第二ローラー部５７が、後方、かつ、上方に移動することにより、この第二ローラー部５７によって、上昇用押圧板２４が第二ローラー部５７の軌道に沿って上方に押されて座板支持部材２１の背板１１側が基支持部材３２に対して平面側に起き上がる。すなわち、座板１２の位置が水平な状態に戻る。
【００４６】
座板１２が水平に戻ると、シート１４が押されることにより背板１１も押されて前方に変位する。ここで、背板支持部材２６を基準とすれば、背板１１は背板支持部材２６に対して相対的に下方にスライドする。すなわち、レール部６１においてガイド部６２が後方側に配置される。
【００４７】
以上のとおり、検診台１が構成されている。次に、検診台１の効果を説明する。
【００４８】
検診台１の基台部２０は、座板１２を支持する座板支持部材２１と、背板１１を支持する背板支持部材２６と、前方側が背板支持部材２６に連結されると共に、後方側が座板支持部材２１に連結された基支持部材３２と、座板支持部材２１を背板支持部材２６に連動させる連動リンク５０とが備えられている。連動リンク５０は、座板支持部材２１と背板支持部材２６との間に渡って配置された左右一対の第一リンク５１と、基支持部材３２に備えられた左右一対の第二リンク５２とから構成されている。第一リンク５１は、前方端が背板支持部材２６の後方端と連結されると共に、後方端が第二リンク５２と連結されている。第二リンク５２は、中央部５３が基支持部材３２における第一フレーム３３の屈曲部３５と連結され、第一リンク片５４が第一リンク５１の後方端と連結され、座板側片５５が座板支持部材２１に連結されている。左右の座板側片５５同士が第一ローラー部５６によって連結されると共に、この第一ローラー部５６を介して各座板側片５５の外側にそれぞれ第二ローラー部５７が連結されている。第二ローラー部５７は、座板支持部材２１の後方側に取り付けられた上昇側押圧板２４の背面側に配置され、第一ローラー部５６は、下降側押圧板２５の平面側において上昇側押圧板２４との間に配置されている。
【００４９】
この構成により、検診台１が第一状態から第二状態に変形する際、背板支持部材２６が基支持部材３２に対して起き上がると共に、連動リンク５０が作動し、第一リンク５１は、第一状態よりも下方かつ後方側に変位することで第二リンク５２が回転する。すなわち、第二リンク５２は、第一リンク側片５４が第一リンク５１によって下方かつ後方に移動させられることで、中央部５３を軸として回転し、座板側片５５が前方に移動させられる。このことによって、第一ローラー部５６が、前方、かつ、下方に移動するとことにより、この第一ローラー部５６の軌道に沿って下降用押圧板２５が下方に押されて座板支持部材２１の背板１１側が基支持部材３２に対して背面側に傾斜する。
【００５０】
このように、第一状態から第二状態に変形する際、背板１１が起き上がると同時に、座板１２における背板１１側が下降することで座板１２が傾斜する。このことにより、被施術者は、横たわった状態から、上半身を起こし、下腿を水平にしたまま腰が下がって膝が曲がった姿勢となる。すなわち、第二状態では、上半身、大腿および下腿のそれぞれの軸が異なっているため、検診台１の側方に向けて転がり難い。したがって、背板１１が起き上がった状態においても被施術者の姿勢を安定させることができる。
【００５１】
検診台１のスライド機構６０は、レール部６１にガイド部６２が取り付けられ、ガイド部６２がレール部６１に対してスライドする。ガイド部６２は、背板１１の背面に固定されている。座板１２は、単一のシート１４で背板１１と共に覆われているため、座板１２が沈み込む方向にシート１４が引っ張られることにより、座板１２が沈み込む方向に背板１１が引っ張られて沈み込む。その際、スライド機構６０によって、背板１１が背板支持部材２６に対してスライドする。したがって、過剰な応力が作用することによる座板１２および背板１１の屈折や劣化を抑止することができる。
【００５２】
検診台１は、場所を移動させるための移動ハンドル３０が背板支持部材２６の前方側に備えられている。また、移動ハンドル３０と同じ位置に、第一状態または第二状態に変形させる変形ハンドル３１が備えられている。したがって、検診台１の移動と変形とを同じ箇所で操作することができ、また、検診台１を容易に第一状態または第二状態に変形させることができるため、操作が簡便である。
【００５３】
検診台１のシリンダ３９は、シリンダ本体４０が第二基フレーム３７の第二基連結部材３８のほぼ中央に連結され、ピストン４１が背板支持部材２６の背板連結部材２８ａのほぼ中央に連結されている。したがって、背板支持部材２６を容易に起き上げ、また、元に戻すことができる。
【００５４】
検診台１は、脚板１３と、座板１２と、背板１１とが単一のシート１４で覆われている。すなわち、各板１１，１２，１３が外観上において一体となり、各板１１，１２，１３の境界が外観上に現れず、意匠性に優れている。
【００５５】
次に、本発明の第二実施形態に係る検診台を図面に基づいて説明する。第二実施形態に係る検診台と第一実施形態に係る検診台１との主な相違は、連動リンクの動作、押圧部の構造、スライド機構の有無である。なお、以下では、第一実施形態と異なる構成が説明されている。第二実施形態の説明では、第一実施形態と同様の構成は、第一実施形態と同一の符号が用いられ、第一実施形態と同一の符号をもって図示することで適宜省略されている。図２５および図２６は、第二実施形態に係る検診台２０１において、載置部１０および台車部３が省略され、基台部２０のみが示されている。図２５は検診台２０１の第一状態が示され、図２６は検診台２０１の第二状態が示されている。なお、図２３および図２４は、第一状態および第二状態における検診台２０１の内部構造が示されているが、検診台１と同様であるため、説明を省略する。
【００５６】
図２５および図２６に示されているとおり、基台部２０は、座板支持部材２１と、背板支持部材２６と、前方側が背板支持部材２６に連結されると共に、後方側が座板支持部材２１に連結された基支持部材３２と、座板支持部材２１を背板支持部材２６に連動させる連動リンク２５０とから構成されている。なお、検診台２０１は、スライド機構６０が備えられていない。
【００５７】
基支持部材３２において、第一基フレーム３３の屈曲部３５は、前方端が背板支持部材２６の後方端と直接連結され、後方側が第二基フレーム３７の後方端と連結されている。なお、基支持部材３２は、第一実施形態に係る検診台１と異なり、連結片４２が備えられていない。
【００５８】
座板支持部材２１は、後方端が基支持部材３２の第二基フレーム３７の後方側と連結されている。また、座板フレーム２２は、後方側が連動リンク２５０と連結されている。連動リンク２５０の第一リンク２５１は、前方端が、背板支持部材２６における背板連結部材２８ｂに取り付けられた突出片２４２と連結されると共に、後方端が第二リンク２５２と連結されている。突出片２４２は、背板連結部材２８ｂから、背板支持部材２６の延長線上に突出している。第二リンク２５２の中央部２５３は、前方に向けられている。第二リンク２５２の座板側片２５５は、車輪状の第二ローラー部２５７が各座板側片２５５の外側にそれぞれ連結されている。第二ローラー部２５７は、座板支持部材２１に形成された昇降用押圧部２２４と接触している。なお、第二リンク２５２は、第一実施形態に係る検診台１と異なり、第一ローラー部５６が備えられていない。
【００５９】
昇降用押圧部２２４は板状であり、座板支持部材２１の後方側における胴受支持部材２の近傍に取り付けられ、各座板フレーム２２同士の内側において、座板１２に対して座板１２の背面に沿って平行に配置される。昇降用押圧部２２４の背面側に第二ローラー部２５７が接触している。
【００６０】
以上のとおり、検診台２０１が構成されている。次に、検診台２０１が第一状態から第二状態に変形する過程における各支持部の動きを図面に基づいて説明する。図２７から図３０は、検診台２０１の第一状態において、載置部１０が省略された平面、側面および側面断面が示され、図３１から図３４は、検診台２０１の第二状態において、載置部１０が省略された平面、側面および側面断面が示されている。
【００６１】
図２７から図３０に示されているとおり、第一状態において、変形ハンドル３１が操作されると、連動リンク２５０が作動し、第一リンク２５１は、相対的に第一状態よりも前方側に変位することで第二リンク２５２が回転する。すなわち、第二リンク２５２は、第一リンク側片２５４が第一リンク２５１によって前方に移動させられることで、中央部２５３を軸として回転し（図２７から図３０において左回りに回転し）、座板側片２５５が前方に移動させられる。このことによって、第二ローラー部２５７が、後方、かつ、下方に移動するとことにより、この第二ローラー部２５７に伴って昇降用押圧部２２４が下降して座板支持部材２１の背板１１側が基支持部材３２に対して背面側に傾斜する。すなわち、座板支持部材２１と共に座板１２が沈み込む。
【００６２】
図３１から図３４において、検診台２０１が第二状態から第一状態に変形する場合、上記と逆に作動する。すなわち、第一状態において変形ハンドル３１が操作されると、連動リンク２５０が作動し、第一リンク２５１は、相対的に第二状態よりも後方側に変位することで第二リンク２５２が回転する。すなわち、第二リンク２５２は、第一リンク側片２５４が第一リンクに２５１よって後方に移動させられることで、中央部２５３を軸として回転し（図３１から図３４において右回りに回転し）、座板側片２５５が後方に移動させられる。このことによって、第二ローラー部２５７が、前方、かつ、上方に移動することにより、この第二ローラー部２５７によって昇降用押圧板２２４が上方に押されて座板支持部材２１の背板１１側が基支持部材３２に対して平面側に起き上がる。すなわち、座板１２の位置が水平な状態に戻る。
【００６３】
以上のとおり、検診台２０１が構成されている。次に、検診台２０１の効果を説明する。
【００６４】
上記したとおり、検診台２０１は、ローラー部および昇降用押圧部２２４の構造が検診台１と比較して簡便であり、また、このことに伴って、連動リンク２５０の動作も簡便である。したがって、設計および構成が簡便である。
【００６５】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００６６】
１，２０１            検診台
２                    胴受支持部材
３                    台車部
４                    台車フレーム
５                    キャスター
６                    フットペダル
７                    昇降部
１０                  載置部
１１                  背板
１２                  座板
１３                  脚板
１４                  シート
１５                  胴受部材
２０                  基台部
２１                  座板支持部材
２２                  座板フレーム
２３                  座板連結部材
２４                  上昇用押圧板（押圧部）
２５                  下降用押圧板（押圧部）
２６                  背板支持部材
２７                  背板フレーム
２８ａ，ｂ            背板連結部材
２９                  ハンドル支持部材
３０                  移動ハンドル（移動操作部）
３１                  変形ハンドル（変形操作部）
３２                  基支持部材
３３                  第一基フレーム
３４ａ，ｂ            第一基連結部材
３５                  屈曲部
３６                  脚板支持部
３７                  第二基フレーム
３８                  第二基連結部材
３９                  シリンダ
４０                  シリンダ本体
４１                  ピストン
４２                  連結片
５０，２５０          連動リンク
５１，２５１          第一リンク
５２，２５２          第二リンク
５３，２５３          中央部
５４，２５４          第一リンク側片
５５，２５５          座板側片
５６                  第一ローラー部（ローラー部）
５７，２５７          第二ローラー部（ローラー部）
６０                  スライド機構
６１                  レール部
６２                  ガイド部
２２４                昇降用押圧部
２４２                突出片
【図１】
2018042807.tif 000003
【図２】
2018042807.tif 000004
【図３】
2018042807.tif 000005
【図４】
2018042807.tif 000006
【図５】
2018042807.tif 000007
【図６】
2018042807.tif 000008
【図７】
2018042807.tif 000009
【図８】
2018042807.tif 000010
【図９】
2018042807.tif 000011
【図１０】
2018042807.tif 000012
【図１１】
2018042807.tif 000013
【図１２】
2018042807.tif 000014
【図１３】
2018042807.tif 000015
【図１４】
2018042807.tif 000016
【図１５】
2018042807.tif 000017
【図１６】
2018042807.tif 000018
【図１７】
2018042807.tif 000019
【図１８】
2018042807.tif 000020
【図１９】
2018042807.tif 000021
【図２０】
2018042807.tif 000022
【図２１】
2018042807.tif 000023
【図２２】
2018042807.tif 000024
【図２３】
2018042807.tif 000025
【図２４】
2018042807.tif 000026
【図２５】
2018042807.tif 000027
【図２６】
2018042807.tif 000028
【図２７】
2018042807.tif 000029
【図２８】
2018042807.tif 000030
【図２９】
2018042807.tif 000031
【図３０】
2018042807.tif 000032
【図３１】
2018042807.tif 000033
【図３２】
2018042807.tif 000034
【図３３】
2018042807.tif 000035
【図３４】
2018042807.tif 000036